(57)【要約】      （修正有）【課題】帰還量の調整用に用いられる発振回路を使用して、帰還量の調整時以外に制御データや呼出音、警報音等の制御信号を生成させる。【解決手段】２線の信号線Ｌ1、Ｌ2を経由して接続される第１、第２の端末１、２間で音声信号の長距離による送受信を行うにあたり、当該信号線の容量成分が増大することによって発生する自端末の信号の帰還量を、その強度に応じて送話音声信号で打消す際の調整として用いられるテスト信号ｆＨ、ｆＬを生成する第１の発振回路１５にて、帰還量の調整時以外に制御データ、呼出音、警報音等の第１の制御信号Ｓ100を生成させ、この第１の制御信号Ｓ100と加算された第１の送話音声信号Ｓ10を第２の端末に送出する。【選択図】図１
2012114813.tif 000002
【特許請求の範囲】
【請求項１】
第１の端末（１）及び第２の端末（２）間を２線の信号線（Ｌ1、Ｌ2）を経由して接続し、前記信号線を経由して音声信号を送受信して通話を成立させるインターホンシステムであって、
前記第１の端末は、前記２線の信号線に送出する第１の送話音声信号（Ｓ10）を増幅するとともに前記２線の信号線を経由して前記第２の端末から伝送されてくる第２の送話音声信号（Ｓ20）が受信される差動増幅器（１００ａ、１００ｂ）を有する第１の送信回路（１００）と、前記第１の送信回路における前記第１、第２の送話音声信号がそれぞれ入力されて前記第２の送話音声信号のみを抽出するとともに前記２線の信号線に重畳されたノイズ成分を除去するための第１の受信回路（１０１）とを有し、前記２線の信号線との間で２線／４線変換を行うための第１のハイブリッド回路（１０）とを備え、
前記第１の受信回路の出力側には、前記２線の信号線の容量成分が増大することにより発生する自端末の信号の帰還量を、その強度に応じて前記第１の送話音声信号で打消すための帰還量打消回路（１３）が接続され、
前記第１の送信回路の入力側には、前記帰還量打消回路にて実行される前記帰還量の調整時に必要な周波数のテスト信号（ｆＨ、ｆＬ）や制御信号、呼出音、警報音等の第１の制御信号（Ｓ100）を生成するための第１の発振回路（１５）が第１の加算回路（１７）を経由して接続され、
前記第１の加算回路は、前記帰還量の調整時に前記テスト信号を通過させて前記送信回路に送出し、前記帰還量の調整時以外に前記第１の送話音声信号及び前記第１の制御信号の加算処理を行い前記第１の送信回路に送出することを特徴とするインターホンシステム。
【請求項２】
前記第２の端末は、前記信号線に接続され前記第２の送話音声信号が入力される電圧制御差動電流源で構成される第２の送信回路（２００）と、前記信号線に接続され前記第１の送話音声信号を受信するための第２の受信回路（２０１）とを有し、前記２線の信号線との間で２線／４線変換を行うための第２のハイブリッド回路（２０）と、前記帰還量の調整時以外に前記第２の受信回路にて抽出される第１の送話音声信号及び前記第１の制御信号を分離するための第４、第５のフィルタ回路（２１、２２）とを備えることを特徴とする請求項１記載のインターホンシステム。
【請求項３】
前記第２の送信回路の入力側には、制御データ、呼出音、警報音等の第２の制御信号（Ｓ200）を生成するための第２の発振回路（２３）が第２の加算回路（２５）を経由して接続され、
前記第２の加算回路は、前記帰還量の調整時以外に前記第２の送話音声信号及び前記第２の制御信号の加算処理を行い前記第２の送信回路に送出することを特徴とする請求項２記載のインターホンシステム。
【請求項４】
前記第１の端末は、前記帰還量の調整時以外に前記第１の受信回路にて抽出される第２の送話音声信号及び前記第２の制御信号を分離するための第１、第２のフィルタ回路（１１、１２）を備えることを特徴とする請求項３記載のインターホンシステム。
【請求項５】
前記帰還量打消回路は、前記信号線の長さによって変化する当該信号線の２線間の容量成分に比例した信号レベルの前記第１の受信回路からの出力信号（Ｓ11）より前記第１の送話音声信号を減算するための減算回路（１３０）と、前記出力信号の信号レベルが前記第１の送話音声信号で打消されるように当該第１の送話音声信号で前記帰還量を打ち消すための帰還量打消信号（Ｓ12）を前記減算回路に送出するための帰還量調整回路（１３１）とを有し、
前記帰還量打消回路からの出力信号（Ｓ13）の高周波帯域成分を除去するための第３のフィルタ回路（１４）を備えることを特徴とする請求項１記載のインターホンシステム。
【発明の詳細な説明】
【技術分野】
【０００１】
本発明は、インターホンシステムに係り、特に、２線の信号線を経由して接続される端末間で音声信号を送受信するにあたって、この音声信号の長距離伝送及び良好な通話品質の確保が可能なインターホンシステムに関する。
【背景技術】
【０００２】
従来から、この種のインターホンシステムとして、主装置及び端末間を接続する２線平衡ケーブルを経由して長距離の音声送受（音声信号の送受信）を行うにあたり、この音声送受を低コストで実現できる平衡型音声送受信回路が開示されている（例えば、特許文献１を参照。）。
【先行技術文献】
【特許文献】
【０００３】
【特許文献１】特許第３４４２２２７号公報
【発明の概要】
【発明が解決しようとする課題】
【０００４】
しかしながら、背景技術に記載した従来例の平衡型音声送受信回路において、主装置から２線平衡ケーブルを経由して端末への音声信号の伝送は、電圧振幅による信号伝送の態様が適用されているため、主装置からの送話音声信号を自装置の受信回路で打消すようなハイブリッド回路を用いるにあたっても、線路長が長くなるほど増大する２線平衡ケーブルの容量成分によって、自装置の信号の帰還が少なからず発生し、この帰還量の増大に伴うハウリングの影響で通話品質が低下する難点があった。
【０００５】
そこで、２線の信号線を経由して端末間で音声信号の送受信を行うにあたって、当該信号線の容量成分が増大することにより発生する自端末の信号の帰還量を、その強度に応じて送話音声信号で打ち消すことにより、帰還量を小さく抑えてハウリングの発生を防止し、良好な通話品質の確保が可能なインターホンシステム（特願２００９−１７６５７９号）が発案されている。
【０００６】
このような帰還量の調整機能を設けるにあたっては、調整用のテスト信号を生成する発振器が必要とされるものの、この発振器は所謂、帰還量の調整時のみ駆動されるものであって、帰還量の調整時以外、例えば、通常の通話成立時には駆動しないため、制御データや呼出音、警報音等の制御信号を生成するにあたっては、別途の回路が必要となり回路構成が煩雑となる難点があった。
【０００７】
本発明は、この難点を解消するためになされたもので、２線の信号線を経由して端末間で音声信号の送受信を行うにあたって、当該信号線の容量成分が増大することにより発生する自端末の信号の帰還量を、その強度に応じて送話音声信号で打ち消すことにより、帰還量を小さく抑えてハウリングの発生を防止し、良好な通話品質の確保を可能とするとともに、帰還量の調整用に用いられる発振回路を使用して、帰還量の調整時以外に制御データや呼出音、警報音等の制御信号を生成させることができるインターホンシステムを提供することを目的としている。
【課題を解決するための手段】
【０００８】
前述の目的を達成するため、本発明の第１の態様であるインターホンシステムは、第１の端末及び第２の端末間を２線の信号線を経由して接続し、信号線を経由して音声信号を送受信して通話を成立させるインターホンシステムである。第１の端末は、２線の信号線に送出する第１の送話音声信号を増幅するとともに２線の信号線を経由して第２の端末から伝送されてくる第２の送話音声信号が受信される差動増幅器を有する第１の送信回路と、第１の送信回路における第１、第２の送話音声信号がそれぞれ入力されて第２の送話音声信号のみを抽出するとともに２線の信号線に重畳されたノイズ成分を除去するための第１の受信回路とを有し、２線の信号線との間で２線／４線変換を行うための第１のハイブリッド回路とを備えている。第１の受信回路の出力側には、２線の信号線の容量成分が増大することにより発生する自端末の信号の帰還量を、その強度に応じて第１の送話音声信号で打消すための帰還量打消回路が接続されている。第１の送信回路の入力側には、帰還量打消回路にて実行される帰還量の調整時に必要な周波数のテスト信号や制御データ、呼出音、警報音等の第１の制御信号を生成するための第１の発振回路が第１の加算回路を経由して接続されている。第１の加算回路は、帰還量の調整時にテスト信号を通過させて送信回路に送出し、帰還量の調整時以外に第１の送話音声信号及び第１の制御信号の加算処理を行い第１の送信回路に送出するものである。
【０００９】
また、本発明の第２の態様であるインターホンシステムは、本発明の第１の態様において、第２の端末は、信号線に接続され第２の送話音声信号が入力される電圧制御差動電流源で構成される第２の送信回路と、信号線に接続され第１の送話音声信号を受信するための第２の受信回路とを有し、２線の信号線との間で２線／４線変換を行うための第２のハイブリッド回路と、帰還量の調整時以外に第２の受信回路にて抽出される第１の送話音声信号及び第１の制御信号を分離するための第４、第５のフィルタ回路とを備えている。
【００１０】
また、本発明の第３の態様であるインターホンシステムは、本発明の第２の態様において、第２の送信回路の入力側には、制御データ、呼出音、警報音等の第２の制御信号を生成するための第２の発振回路が第２の加算回路を経由して接続されている。第２の加算回路は、帰還量の調整時以外に第２の送話音声信号及び第２の制御信号の加算処理を行い第２の送信回路に送出するものである。
【００１１】
また、本発明の第４の態様であるインターホンシステムは、本発明の第３の態様において、第１の端末は、帰還量の調整時以外に第１の受信回路にて抽出される第２の送話音声信号及び第２の制御信号を分離するための第１、第２のフィルタ回路を備えている。
【００１２】
また、本発明の第５の態様であるインターホンシステムは、本発明の第１の態様において、帰還量打消回路は、信号線の長さによって変化する当該信号線の２線間の容量成分に比例した信号レベルの第１の受信回路からの出力信号より第１の送話音声信号を減算するための減算回路と、出力信号の信号レベルが第１の送話音声信号で打消されるように当該第１の送話音声信号で帰還量を打ち消すための帰還量打消信号を減算回路に送出するための帰還量調整回路とを有し、帰還量打消回路からの出力信号の高周波帯域成分を除去するための第３のフィルタ回路を備えている。
【発明の効果】
【００１３】
本発明のインターホンシステムによれば、２線の信号線を経由して接続される第１、第２の端末間で音声信号の長距離による送受信を行うにあたり、当該信号線の容量成分が増大することによって発生する自端末の信号の帰還量を、その強度に応じて第１の送話音声信号で打消す際の調整として用いられるテスト信号を生成する第１の発振回路にて、帰還量の調整時以外に制御データ、呼出音、警報音等の第１の制御信号を生成させ、この第１の制御信号と加算された第１の送話音声信号を第２の端末に送出することにより、第１の送話音声信号をハウリングの発生を防止した良好な通話品質で出力できるばかりでなく、第１の制御信号の抽出も容易となる。一方、第２の端末の第２の発振回路においても、帰還量の調整時以外に制御データ、呼出音、警報音等の第２の制御信号を生成させ、この第２の制御信号と加算された第２の送話音声信号を第１の端末に送出することにより、第２の送話音声信号をハウリングの発生を防止した良好な通話品質で出力できるばかりでなく、第２の制御信号の抽出を容易となる。
【００１４】
また、本発明のインターホンシステムによれば、２線の信号線を経由して接続される第１、第２の端末間で音声信号の長距離による送受信を行うにあたり、当該信号線の容量成分が増大することによって発生する自端末の信号の帰還量を、その強度に応じて送話音声信号で打消す際の調整として、インターホンシステムの施工時や当該システムの構成変更時において帰還量打消回路の帰還量調整回路で所定の調整工程を実行し、その調整精度を高めるとともに、打消後の出力信号の高周波帯域成分を除去することにより、帰還量が小さく抑えられ、ハウリングの発生を防止した良好な通話品質が確保される。
【図面の簡単な説明】
【００１５】
【図１】図１は、本発明の実施例によるインターホンシステムの具体的な構成を示す回路ブロック図である。
【図２】図２（Ａ）、（Ｂ）、（Ｃ）はそれぞれ、本発明の実施例によるインターホンシステムにおいて、（第１の端末の帰還量打消回路の）帰還量調整回路にて実行される調整工程の周波数特性を示すグラフ図である。
【図３】図３は、本発明の実施例によるインターホンシステムにおいて適用される調整アルゴリズムを示すフローチャート図である。
【図４】図４（Ａ）、（Ｂ）、（Ｃ）はそれぞれ、本発明の実施例によるインターホンシステムにおいて、帰還量打消後の音声信号の周波数特性を示すグラフ図である。
【発明を実施するための形態】
【００１６】
以下、本発明のインターホンシステムを適用した最良の実施の形態例について、図面を参照して説明する。
【００１７】
図１は、本発明の実施例によるインターホンシステムの具体的な構成を示す回路ブロック図であり、第１の端末１及び第２の端末２が２線の信号線Ｌ1、Ｌ2を経由して接続され、この信号線Ｌ1、Ｌ2を経由して音声信号を送受信させることで通話を行う当該システムである。ここで、２線の信号線Ｌ1、Ｌ2としては、例えば、２線平衡ケーブルが好適とされる。
【００１８】
次に、第１の端末１の具体的な構成について説明する。この第１の端末１には、２線の信号線Ｌ1、Ｌ2との間で２線／４線変換を行うためのハイブリッド回路（以下、第１のハイブリッド回路という。）１０と、第１のハイブリッド回路１０を構成する第１の受信回路１０１の出力側に接続される第１、第２のフィルタ回路１１、１２と、第１のフィルタ回路１１の出力側に接続される帰還量打消回路１３と、帰還量打消回路１３の出力側に接続される第３のフィルタ回路１４と、帰還量打消回路１３を構成する帰還量調整回路１３１にて実行される後述する第１の送話音声信号の帰還量の調整（振幅調整、位相調整及び周波数調整）時に必要な周波数のテスト信号を生成するための第１の発振回路１５と、第１の発振回路１５にてテスト信号や制御データ、呼出音、警報音等の第１の制御信号を生成させるための第１のデータ生成回路１６と、帰還量の調整時以外の例えば、通話の成立時にマイクからの第１の送話音声信号及び第１の発振回路１５からの第１の制御信号の加算処理を行い第１の送信回路１００に送出し、帰還量の調整時にテスト信号のみ通過させて第１の送信回路１００に送出するための第１の加算回路１７と、帰還量の調整時又はその調整時以外の相違に対応して操作されるばかりでなく、例えば、第２の端末２への呼出時等において操作される第１の操作部１８と、第１の操作部１８による操作を検出し、第１の発振回路１５、第１のデータ生成回路１６をそれぞれ制御するための第１の制御回路１９とが備えられている。
【００１９】
この第１の端末１において、第１のハイブリッド回路１０は、当該第１の端末の使用者による送話音声である第１の送話音声信号や制御データ、呼出音、警報音等の第１の制御信号を増幅するための（２つの）差動増幅器（以下、それぞれ、（＋）側差動増幅器、（−）側差動増幅器という。）１００ａ、１００ｂ、（＋）側、（−）側の各差動増幅器１００ａ、１００ｂからの差動出力信号を２線の信号線Ｌ1、Ｌ2に送出するとともに、２線の信号線Ｌ1、Ｌ2を経由して伝送されてくる第２の端末２の使用者による送話音声である第２の送話音声信号又は制御データ、呼出音、警報音等の第２の制御信号を抽出するための（２つの）出力抵抗（以下、それぞれ、（＋）側出力抵抗、（−）側出力抵抗という。）１００ｃ、１００ｄを備えた第１の送信回路１００と、第１の送信回路１００における第１、第２の送話音声信号や第１、第２の制御信号が受信され、第１、第２のフィルタ回路１１、１２にそれぞれ送出するための第１の受信回路１０１とを有している。
【００２０】
ここで、第１の送信回路１００を構成する（＋）側、（−）側の各差動増幅器１００ａ、１００ｂ及び（＋）側、（−）側の各出力抵抗１００ｃ、１００ｄと第１の受信回路１０１との間の具体的な接続の態様として、（＋）側差動増幅器１００ａの出力側には、（＋）側出力抵抗１００ｃを経由して２線の信号線Ｌ1、Ｌ2のうち一方の信号線Ｌ1が接続されており、この（＋）側出力抵抗１００ｃの両端に設けられる出力端子Ｐ10、Ｐ11には、第１の受信回路１０１の入力側が接続されている。また、（−）側差動増幅器１００ｂの出力側には、（−）側出力抵抗１００ｄを経由して２線の信号線Ｌ1、Ｌ2のうち他方の信号線Ｌ2が接続されており、この（−）側出力抵抗１００ｄの両端に設けられる出力端子Ｐ12、Ｐ13には、第１の受信回路１０１の入力側が接続されている。
【００２１】
第１のフィルタ回路１１は、第１の受信回路１０１からの出力信号より第２の送話音声信号のみ通過させ、帰還量打消回路１３（の減算回路１３０）に送出するためのものである。また、第２のフィルタ回路１２は、第１の受信回路１０１からの出力信号より制御データ、呼出音、警報音等の第２の制御信号のみ通過させ、例えば、第１の制御回路１９（又はスピーカ）に送出するためのものである。
【００２２】
帰還量打消回路１３は、２線の信号線Ｌ1、Ｌ2の容量成分が増大することにより発生する自端末の信号の帰還量を、その強度に応じて第１の送話音声信号で打消すためのものであり、信号線Ｌ1、Ｌ2の長さによって変化する当該信号線の２線間の容量成分に比例した信号レベルである第１のフィルタ回路１１からの出力信号より第１の送話音声信号を減算するための減算回路１３０と、出力信号の信号レベルが第１の送話音声信号で打消されるように、テスト信号の振幅調整、位相調整及び周波数調整を実行するための帰還量調整回路１３１とを有している。
【００２３】
第３のフィルタ回路１４は、帰還量打消回路１３（の減算回路１３０から）の出力信号の高周波帯域成分を除去し、例えば、スピーカに送出するためのものである。
【００２４】
次に、第２の端末２の具体的な構成について説明する。この第２の端末２には、２線の信号線Ｌ1、Ｌ2との間で２線／４線変換を行うためのハイブリッド回路（以下、第２のハイブリッド回路という。）２０と、第２のハイブリッド回路２０を構成する第２の受信回路２０１の出力側に接続される第４、第５のフィルタ回路２１、２２と、制御データ、呼出音、警報音等の第２の制御信号を生成するための第２の発振回路２３と、第２の発振回路２３にて第２の制御信号を生成させるための第２のデータ生成回路２４と、帰還量の調整時以外の例えば、通話の成立時にマイクからの第２の送話音声信号及び第２の発振回路２３からの第２の制御信号の加算処理を行い第２の送信回路２００に送出するための第２の加算回路２５と、帰還量の調整時又はその調整時以外の相違に対応して操作されるばかりでなく、例えば、第１の端末２への呼出時等において操作される第２の操作部２６と、第２の操作部２６による操作を検出し、第２の発振回路２３、第２のデータ生成回路２４をそれぞれ制御するための第２の制御回路２７とが備えられている。
【００２５】
第２のハイブリッド回路２０は、２線の信号線Ｌ1、Ｌ2に接続されており、第２の端末２の使用者による送話音声である第２の送話音声信号や制御データ、呼出音、警報音等の第２の制御信号が入力され電圧制御差動電流源で構成される第２の送信回路２００と、２線の信号線Ｌ1、Ｌ2に接続され、第１の端末１の使用者による送話音声である第１の送話音声信号や制御データ、呼出音、警報音等の第１の制御信号が受信され、第４、第５のフィルタ回路２１、２２にそれぞれ送出するための第２の受信回路２０１とを有している。
【００２６】
ここで、２線の信号線Ｌ1、Ｌ2と第２の送信回路２００及び第２の受信回路２０１との間の具体的な接続の態様として、第２の送信回路２００の出力側には２線の信号線Ｌ1、Ｌ2が接続されており、この信号線Ｌ1、Ｌ2上の出力端子Ｐ20、Ｐ21には、第２の受信回路２０１の入力側が接続されている。
【００２７】
第４のフィルタ回路２１は、第２の受信回路２０１からの出力信号より第１の送話音声信号のみ通過させ、例えば、スピーカに送出するためのものである。また、第５のフィルタ回路２２は、第２の受信回路２０１からの出力信号より第１の制御信号のみ通過させ、例えば、第２の制御回路２７（又はスピーカ）に送出するためのものである。
【００２８】
このように構成された本発明の実施例によるインターホンシステムにおいて、以下、具体的な動作について、前述の図１と、図２、図４のグラフ図及び図３のフローチャート図とをそれぞれ参照して説明する。
【００２９】
例えば、図１に示すインターホンシステムの施工時や当該システムの構成変更時において、第２の端末２の使用者による送話音声である第２の送話音声信号Ｓ20を、２線の信号線Ｌ1、Ｌ2を経由して第１の端末１に送信するにあたり、第２のハイブリッド回路２０を構成する第２の送信回路２００は電圧制御電流源の構成であるため、第２の送話音声信号Ｓ20を電圧信号から電流信号に変換した後、２線の信号線Ｌ1、Ｌ2へ差動出力する。これにより、信号線Ｌ1、Ｌ2の線路長が長くなり２線間の容量成分が増大した場合であっても、その影響を受け難く安定した信号伝送が可能となる。
【００３０】
また、第２の端末２によれば、第２のハイブリッド回路２０を構成する第２の送信回路２００の出力が電流信号であるため、２線の信号線Ｌ1、Ｌ2及び当該信号線上の出力端子Ｐ20、Ｐ21と、第１の端末１の第１のハイブリッド回路１０を構成する第１の送信回路１００内の出力端子Ｐ11、Ｐ13とにはそれぞれ、電圧信号に起因した信号振幅が現れることはなく電流信号として現れる一方、信号振幅は、（＋）側、（−）側の各差動増幅器１００ａ、１００ｂの出力側である出力端子Ｐ10、Ｐ12に現れることになる。
【００３１】
一方、第１の端末１によれば、自端末１の使用者による送話音声である第１の送話音声信号Ｓ10が、第１の加算回路１７、第１のハイブリッド回路１０を構成する第１の送信回路１００の（＋）側差動増幅器１００ａ、（−）側差動増幅器１００ｂを経由して第１の受信回路１０１に伝送され、第１の受信回路１０１からの出力信号Ｓ11のレベル、例えば、振幅レベルは、図２（Ａ）に太線で示すように、信号線Ｌ1、Ｌ2の長さによって変化する当該信号線の２線間の容量成分に比例した当該レベルとなるため、この出力が自端末の信号の帰還量となり、ハウリングが発生する虞がある。
【００３２】
そこで、２線の信号線Ｌ1、Ｌ2の容量成分が増大することにより発生する自端末の信号の帰還量を、その強度に応じて第１の送話音声信号Ｓ10で打消すように当該第１の送話音声信号を振幅調整、位相調整及び周波数調整するにあたって、第１の制御回路１９は、第１のデータ生成回路１６を制御して第１のデータ振回路１５にて例えば、３ｋＨｚ〜１０ｋＨｚの正弦波である高周波テスト信号ｆＨを生成させ、第１の加算回路１７を経由して帰還量打消回路１３の帰還量調整回路１３１に送出する（ステップＳＴ1、ＳＴ2）。
【００３３】
第１の端末１において、帰還量打消回路１３の帰還量調整回路１３１は、受信した高周波テスト信号ｆＨの振幅を調整する、すなわち、図２（Ａ）に示すように、位相を固定した状態で当該帰還量調整回路のＶＲを可変することにより同図に示す矢印の幅で振幅を調整して帰還量が最小となるポイントを探索・固定する（ステップＳＴ3）。その後、帰還量調整回路１３１は、振幅が調整された高周波テスト信号ｆＨの位相を調整（図２（Ｂ）を参照。）する、すなわち、図２（Ｂ）に示すように、振幅を固定した状態で当該帰還量調整回路のＶＲを可変することにより同図に示す矢印の幅で位相を調整して帰還量が最小となるポイントを探索・固定する（ステップＳＴ4）。なお、帰還量調整回路１３１によれば、前述の位相の調整（ステップＳＴ4）後のタイミングにおいて、高周波テスト信号ｆＨの周波数帯域のうち、例えば、３ｋＨｚ〜１０ｋＨｚの高周波数帯域を調整する、すなわち、振幅及び位相を変化させて帰還量が最小となるポイントを探索・固定することもできる。
【００３４】
この後、第１の端末１の第１の制御回路１９は、第１のデータ生成回路１６を制御し、第１の発振回路１５におけるテスト信号の生成を、高周波テスト信号ｆＨから例えば、５００Ｈｚ〜２ｋＨｚの正弦波である低周波テスト信号ｆＬに切換え、第１の加算回路１７を経由して帰還量打消回路１３の帰還量調整回路１３１に送出する（ステップＳＴ5）。
【００３５】
第１の端末１において、帰還量打消回路１３の帰還量調整回路１３１は、端末の接続台数等の理由により２線の信号線Ｌ1、Ｌ2上のインピーダンスが低下し、帰還量が低域周波数帯域で増加する特性に鑑み、受信した低周波テスト信号ｆＬの周波数帯域のうち、例えば、５００Ｈｚ〜２ｋＨｚの低周波数帯域を調整する、すなわち、図２（Ｃ）に示すように、当該帰還量調整回路のＶＲを可変することにより同図に示す矢印の幅で振幅及び位相を変化させて帰還量が最小となるポイントを探索・固定する（ステップＳＴ6）。
【００３６】
この後、第１の端末１の第１の制御回路１９は、第１のデータ生成回路１６を制御し、第１の発振回路１５におけるテスト信号の生成を、低周波テスト信号ｆＨから高周波テスト信号ｆＨに再度切換え、第１の加算回路１７を経由して帰還量打消回路１３の帰還量調整回路１３１に送出する（ステップＳＴ7）。
【００３７】
第１の端末１において、帰還量打消回路１３の帰還量調整回路１３１は、前述の低周波テスト信号ｆＬの周波数調整時に発生する例えば、３ｋＨｚ〜１０ｋＨｚの高周波帯域の特性のズレを抑えるため、当該帰還量調整回路のＶＲを可変することにより受信した高周波テスト信号ｆＨの振幅を再度調整して帰還量が最小となるポイントを探索・固定（ステップＳＴ8）する。その後、帰還量調整回路１３１は、当該帰還量調整回路のＶＲを可変することにより振幅が調整された高周波テスト信号ｆＨの位相を再度調整して帰還量が最小となるポイントを探索・固定する（ステップＳＴ9）。なお、前述の位相の調整（ステップＳＴ9）後のタイミングにおいて、帰還量調整回路１３１は、高周波テスト信号ｆＨの周波数帯域のうち、例えば、３ｋＨｚ〜１０ｋＨｚの高周波数帯域を周波数調整する、すなわち、当該帰還量調整回路のＶＲを可変することにより振幅及び位相を変化させて帰還量が最小となるポイントを探索・固定することもできる。
【００３８】
この後、第１の端末１の第１の制御回路１９は、第１のデータ生成回路１６を制御し、第１の発振回路１５における高周波テスト信号ｆＨの生成を停止する（ステップＳＴ10）。
【００３９】
また、第１の端末１において、帰還量打消回路１３の帰還量調整回路１３１は、前述のような最小の帰還量であるポイントデータをもとに第１の送話音声信号Ｓ10を信号処理して帰還量打消信号Ｓ12を生成し、自回路の例えば、不揮発性メモリに保存する、及び／又は第１の制御回路１９の例えば、不揮発性メモリに転送して保存することができ、この保存動作は任意であり、当該保存動作によれば、帰還量打消信号Ｓ12（の波形）がノイズ等によって変動したり、停電等の電源異常が発生した場合であっても、短時間での復帰が容易となる（ステップＳＴ11、ＳＴ12）。
【００４０】
次に、前述までの帰還量の調整工程を実行した後、第１の端末１の帰還量打消回路１３において、減算回路１３０は、帰還量調整回路１３１にて生成され必要に応じて適宜、保存された帰還量打消信号Ｓ12で第１の受信回路１０１から第１のフィルタ回路１１を経由して伝送されてくる出力信号Ｓ11を打消すことができる。ここで、例えば、最小の帰還量であるポイントの初期設定と最適な設定との差が大きい場合には、図４（Ａ）に示すように調整が不十分な出力信号Ｓ13となるため、帰還量調整回路１１０は、前述のステップＳＴ5〜ＳＴ9の調整工程を繰り返すことにより、図４（Ｂ）に示すように、帰還量が十分に打消された出力信号Ｓ13を第３のフィルタ回路１４に送出することができる。
【００４１】
また、第１の端末１の第３のフィルタ回路１４は、帰還量打消回路１３（の減算回路１３０）からの出力信号Ｓ13の波形に、音声周波数帯域よりも高い例えば、１０ｋＨｚを越える帯域、又は当該音声周波数帯域よりも低い例えば、１００Ｈｚの帯域で調整し切れなかった周波数成分が雑音として残存している場合には、この帯域成分を容易に除去することができ、第３のフィルタ回路１４からの出力信号Ｓ14は、図４（Ｃ）に示すように、音声周波数帯域に影響を与えない当該信号となり、ゆえに、第１の端末１においてハウリングが発生することもなく、スピーカからの受話音声の出力として良好な通話品質が確保される。
【００４２】
一方、第２の端末２によれば、第２のハイブリッド回路２０を構成する第２の送信回路２００の出力が電流信号であるため、２線の信号線Ｌ1、Ｌ2及び当該信号線上の出力端子Ｐ20、P21は、第１の端末１側から高インピーダンスであると擬似され、第２の受信回路２０１には、第１の端末１からの第１の送話音声信号Ｓ10による信号振幅のみが現れることから、第２の送話音声信号Ｓ20が自端末の帰還信号とはならず、ゆえに、第２の端末２においてハウリングが発生することもなく、第４のフィルタ回路１４を通過した出力信号Ｓ10は、スピーカからの受話音声の出力として良好な通話品質が確保される。
【００４３】
前述までの説明から明らかなように、２線の信号線Ｌ1、Ｌ2を経由して接続される第１、第２の端末１、２間で音声信号の長距離による送受信を行うにあたり、当該信号線の容量成分が増大することによって発生する自端末の信号の帰還量を、その強度に応じて送話音声信号Ｓ10で打消す際の調整として、インターホンシステムの施工時や当該システムの構成変更時において所定の調整を実行し、その調整精度を高めるとともに、打消後の出力信号Ｓ12の高周波帯域成分を除去することにより、帰還量が小さく抑えられ、ハウリングの発生を防止した良好な通話品質が確保される。
【００４４】
次に、前述の帰還量の調整時以外の例えば、通話の成立時において、第１の端末１の使用者が例えば、第１の操作部１８を使用して所定の操作を行うと、この操作を検出した第１の制御回路１９は、第１のデータ生成回路１６を制御して制御データ、呼出音、警報音等の第１の制御信号Ｓ100を第１の発振回路１５にて生成させることができる。この第１の制御信号Ｓ100は、第１の加算回路１７にて自端末１の使用者による送話音声である第１の送話音声信号Ｓ10と加算される。また、第１の加算回路１７からの出力信号Ｓ101は、第１のハイブリッド回路１０を構成する第１の送信回路１００の（＋）側差動増幅器１００ａ、（−）側差動増幅器１００ｂ、２線の信号線Ｌ1、Ｌ2、第２の端末２の第２のハイブリッド回路２１を構成する第２の受信回路２０１を経由して第４、第５のフィルタ回路２１、２２へとそれぞれ伝送される。
【００４５】
第２の端末２において、第４のフィルタ回路２２は、第２の受信回路２０１からの出力信号Ｓ101より第１の送話音声信号Ｓ10のみ通過させ、スピーカからの受話音声の出力として良好な通話品質を確保することができる。一方、第５のフィルタ回路２１は、第２の受信回路２０１からの出力信号101より第１の制御信号Ｓ100のみ通過させ、例えば、第２の制御回路２７（又はスピーカ）に送出することができる。
【００４６】
一方、前述と同様な通話の成立時において、第２の端末２の使用者が例えば、第２の操作部２６を使用して所定の操作を行うと、この操作を検出した第２の制御回路２７は、第２のデータ生成回路２４を制御して制御データ、呼出音、警報音等の第２の制御信号Ｓ200を第２の発振回路２３にて生成させることができる。この第２の制御信号Ｓ200は、第２の加算回路２５にて自端末２の使用者による送話音声である第２の送話音声信号Ｓ20と加算される。また、第２の加算回路２５からの出力信号Ｓ201は、前述の第２の送話音声信号Ｓ20のみの伝送時と同様、２線の信号線Ｌ1、Ｌ2を経由して第１の端末１に送信するにあたり、第２のハイブリッド回路２０を構成する第２の送信回路２００が電圧制御電流源の構成であるため、出力信号Ｓ201を電圧信号から電流信号に変換した後、２線の信号線Ｌ1、Ｌ2へ差動出力される。これにより、信号線Ｌ1、Ｌ2の線路長が長くなり２線間の容量成分が増大した場合であっても、その影響を受け難く安定した信号伝送が可能となる。
【００４７】
また、第１の端末１において、第１のハイブリッド回路１０を構成する第１の受信回路１０１は、第１の送信回路１００の（＋）側差動増幅器１００ａ、（−）側差動増幅器１００ｂを経由して第１の受信回路１０１に伝送される出力信号Ｓ201を受信し、第１、第２のフィルタ回路１１、１２にそれぞれ送出する。
【００４８】
さらに、第１の端末１において、第１のフィルタ回路２２は、第２の受信回路２０１からの出力信号Ｓ201より第２の送話音声信号Ｓ20のみ通過させ、帰還量打消回路１３の減算回路１３０に送出することにより、前述と同様な音響帰還が調整された当該信号Ｓ21を第３のフィルタ回路１４を経由して例えば、スピーカに送出することができ、スピーカからの受話音声の出力として良好な通話品質が確保される。一方、第２のフィルタ回路１２は、第１の受信回路１０１からの出力信号Ｓ201より第２の制御信号Ｓ200のみ通過させ、例えば、第１の制御回路１９（又はスピーカ）に送出することができる。
【００４９】
前述までの説明から明らかなように、２線の信号線Ｌ1、Ｌ2を経由して接続される第１、第２の端末１、２間で音声信号の長距離による送受信を行うにあたり、当該信号線の容量成分が増大することによって発生する自端末の信号の帰還量を、その強度に応じて送話音声信号で打消す際の調整として用いられるテスト信号ｆＨ、ｆＬを生成する第１の発振回路１５にて、帰還量の調整時以外に制御データ、呼出音、警報音等の第１の制御信号Ｓ100を生成させ、この第１の制御信号Ｓ100と加算された第１の送話音声信号Ｓ10を第２の端末２に送出することにより、第１の送話音声信号Ｓ10をハウリングの発生を防止した良好な通話品質で出力できるばかりでなく、第１の制御信号Ｓ100の抽出も容易となる。一方、第２の端末２の第２の発振回路２３においても、帰還量の調整時以外に制御データ、呼出音、警報音等の第２の制御信号Ｓ200を生成させ、この第２の制御信号Ｓ200と加算された第２の送話音声信号Ｓ20を第１の端末１に送出することにより、第２の送話音声信号Ｓ20をハウリングの発生を防止した良好な通話品質で出力できるばかりでなく、第２の制御信号Ｓ200の抽出も容易となる。
【００５０】
なお、前述までの説明によれば、第１、第２の端末１、２において、第１、第２の制御回路１９、２７による第１、第２のデータ生成回路１６、２４への制御で第１、第２の発振回路１５、２３から第１、第２の制御信号Ｓ100、Ｓ200を生成させるタイミングとして、通話の成立時であって、かつ第１、第２の操作部１８、２６の操作時として説明したが、このタイミングに限定されるものではない。例えば、通話の非成立時であって、かつ第１、第２の操作部１８、２６の操作時のタイミング、或いは、第１、第２の操作部１８、２６の操作に関係なく例えば、第１、第２の制御回路１９、２７にて計時される所定のタイミングであってもよく、何れのタイミングであっても、２線の信号線Ｌ1、Ｌ2を経由して第１の端末１及び第２の端末２の間で第１、第２の制御信号Ｓ100、Ｓ200の送受信が可能となる。
【００５１】
本発明のインターホンシステムにおいては、特定の実施の形態をもって説明してきたが、この形態に限定されるものでなく、本発明の効果を奏する限り、これまで知られた如何なる構成の当該システムであっても採用できるということはいうまでもないことである。
【符号の説明】
【００５２】
１……第１の端末
１０……第１のハイブリッド回路
１００……第１の送信回路
１００ａ……（＋）側差動増幅器（差動増幅器）
１００ｂ……（−）側差動増幅器（差動増幅器）
１０１……第１の受信回路
１１……第１のフィルタ回路
１２……第２のフィルタ回路
１３……帰還量打消回路
１３０……減算回路
１３１……帰還量調整回路
１４……第３のフィルタ回路
１５……第１の発振回路
１７……第１の加算回路
２……第２の端末
２０……第２のハイブリッド回路
２００……第２の送信回路
２０１……第２の受信回路
２１……第４のフィルタ回路
２２……第５のフィルタ回路
２３……第２の発振回路
２５……第２の加算回路
Ｌ1、Ｌ2……２本の信号線
ｆＨ……高周波テスト信号（テスト信号）
ｆＬ……低周波テスト信号（テスト信号）
Ｓ10……第１の送話音声信号
Ｓ11……（第１の受信回路からの）出力信号
Ｓ12……帰還量打消信号
Ｓ13……（帰還量打消回路からの）出力信号
Ｓ20……第２の送話音声信号
Ｓ100……第１の制御信号
Ｓ200……第２の制御信号
【図１】
2012114813.tif 000003
【図２】
2012114813.tif 000004
【図３】
2012114813.tif 000005
【図４】
2012114813.tif 000006